(57)【要約】【課題】  複数の充電器を一つのテーブルタップに接続すると、テーブルタップの上にはＡＣアダプターだけが並び、コード類、充電器本体、等々は、ばらばらに置かれることになるし、コンセントに差し込まれていないＡＣアダプター、コード類、充電器本体、等々も雑然と置かれているということになっていた。【解決手段】  複数の充電器本体を載置しておくための載置面を備え、充電器本体以外のプラグ、コード等を格納するための内部空間を有するテーブルタップであって、該内部空間には、外部電源と接続される回路を伴う複数のコンセントも配置されている。【選択図】  図１
2005183052.tif 000002
【特許請求の範囲】
【請求項１】
複数の充電器本体を載置しておくための載置面を備え、充電器本体以外のプラグ、コード等を格納するための内部空間を有するテーブルタップであって、該内部空間には、外部電源と接続される回路を伴う複数のコンセントが配置されているものであることを特徴とする充電器用テーブルタップ。
【請求項２】
該複数のコンセントと外部電源とを接続する回路は、本体外表面にそれぞれのコンセントごとに独立して設けられた通電開閉スイッチによって開閉できるものである請求項１記載の充電器用テーブルタップ。
【請求項３】
本体は、段差を有する概ねベンチシート形の外形のものであり、複数の充電器本体を載置しておくための載置面はベンチシートでいうところの座面が相当し、通電開閉スイッチはベンチシートでいうところの背もたれ天面に配置されているものである請求項１又は２記載の充電器用テーブルタップ。
【発明の詳細な説明】
【技術分野】
【０００１】
本発明は、複数の充電器を設置するのに適したテーブルタップの構造に関するものである。
【背景技術】
【０００２】
電池パックを内蔵し充電器によって電力を得るという形態の電器製品は、古くより多種ある。小型電気掃除機、電気シェーバー、などが典型的なものであり、電器からコードが突出しないので取り扱いが容易であるし、コンセントに連結されていないので持ち運びにも優れているという利便性を有する。また近時は、携帯型音響機器の中に乾電池を用いず充電によって電力を得るものが増えてきている。更に近時携帯電話機が爆発的に普及しており、また、これまでの電話機（固定電話機）も子機を付帯している例が増えており、これらの携帯電話機用或いは子機は充電器が不可欠である。
【０００３】
充電器自体は一般に、ＡＣアダプター、充電器本体、コード、プラグ等により構成されている。充電器本体は、電器のホルダーとなっていることも少なくない。また、ＡＣアダプターが充電器本体に内蔵されているもの、ＡＣアダプターがプラグと一体となっているもの、等々種々の形態がある。
【発明の開示】
【発明が解決しようとする課題】
【０００４】
こうしたことから、デスクの上にはコンセントに差し込まれていないＡＣアダプター、コード類、充電器本体、等々が雑然と置かれているということになっていた。また、家屋壁面にあるコンセントからテーブルタップを引いてデスク上に置きこれに充電器のＡＣアダプターを接続する場合があり、それに適したテーブルタップも多種提案されている。そうしたものの場合、確かにＡＣアダプターを効率よく接続することができたり、電力消費を抑えるため不使用時にはこまめに充電器のプラグを抜くという作業も行いやすくなったりするが、抜かれたプラグ等はデスク上に残り、却って雑然とすることになる。
【特許文献１】特開２００１−０２３７３９
【０００５】
また、携帯電話機を充電する場合には、その充電器が載置台若しくは携帯電話機ホルダーとして利用される構造となっていることが多いが、軽量であることもあり載置台としての安定性に欠ける嫌いがある。
【課題を解決するための手段】
【０００６】
以上のような現状に鑑み、本発明者は長年鋭意研究の結果遂に本発明を成したものであり、その特徴とするところは、複数の充電器本体を載置しておくための載置面を備え、充電器本体以外のプラグ、コード等を格納するための内部空間を有するテーブルタップであって、該内部空間には、外部電源と接続される回路を伴う複数のコンセントが配置されている点にある。
【０００７】
即ち本発明は、乱雑になりやすいコード類やプラグ、ＡＣアダプター等を格納しておける空間を有したテーブルタップを提供するものである。通常のテーブルタップは筐体構造を採ってはいるがその内部は、コード類や端子金属板等が配置配線されており、修理でもしない限り開かれることがない。即ち内部空間は外部に開かれていない。本発明に係るテーブルタップは、これに対し内部空間をプラグやコード等を格納する部分として提供するものであり、頻繁に開け閉めすることを前提として構成されている。
【０００８】
また通常のテーブルタップは、コンセントが並んでいるだけであるが、本発明に係るテーブルタップの場合にはコンセントは内部空間に配置されており、コンセントの数だけの充電器本体を載置しておける「載置面」を有している。従ってこの載置面上に充電器本体が並び、充電器本体以外のコード類その他はテーブルタップ内部空間に隠れているという外観のものとなる。
【０００９】
更に、複数のコンセントと外部電源とを接続する回路に、通電開閉スイッチを、それぞれのコンセントごとに独立して設けるようにすると、充電器不使用時にプラグを抜いておく必要がなく節電しやすいものとなる。このスイッチ自体の構造に関しては何ら限定するものではない。なおこのスイッチがＯＮ状態にある時に点灯するランプを付帯させておくと、より便利になる。
【００１０】
載置面は、平坦なものとしても良いが、接続する充電器本体の形状が決まっている場合には、その構造に適合する嵌め込み凹部を形成しておいても良い。平坦な載置面の場合には充電器本体を両面粘着テープを用いて貼着するなどして固定すると、使い勝手の良いものとなる。
【発明の効果】
【００１１】
本発明に係るテーブルタップは、以下述べる如き効果を有する。
（１）  ＡＣアダプターやコード、コンセント等がテーブルタップ本体内に収納されるので、使用時外観がすっきりする。
（２）  充電器本体、ＡＣアダプターその他の部材を伴ったままテーブルタップを移動させることが簡単にできる。
（３）  コンセントが内部空間に存在しているので、ほとんどホコリをかぶることがないし、小さな子供が誤って起こす事故が発生する可能性もほとんどなく、安全である。
【発明を実施するための最良の形態】
【００１２】
以下図面に基づいて本発明をより詳細に説明する。
【実施例１】
【００１３】
図１は、本発明に係るテーブルタップ１（以下本発明テーブルタップ１という）の一例を示すものであり、図より明らかなように本発明テーブルタップ１は、段差によって二つの平面（天面２と載置面３）を持つベンチシート形の器具であって、凹稜部には幅約５ｍｍのスリット４があって内部空間に連通している。また天面２には複数（図では五つ）のスイッチ５及びランプ６が設けられており、このランプ６はスイッチ５が入り通電しているときには点灯するＬＥＤランプである。なお側面板７と背面板の一部（図示省略）は簡単に取り付け取り外しができるもので、側面板７を取り外したときにはスリット４の端部が現れここからコードを入れることができるし、背面板の一部を取り外すことによってプラグをコンセントに差し込む作業が容易になる。図では側面板７を取り外した状態を描出している。なお、接続する充電器が、例えば充電器本体とコードとが全て着脱自在であれば、側面板７を取り外さずとも一旦コードを外してそのコードのみをスリット４に挿通させその後充電器本体に接続できる（図示せず）。
【００１４】
図２は、載置面３上に充電器本体Ｂを固定し、更に該充電器本体Ｂに携帯電話機Ｈをセットしている状態を示す概略断面図である。本発明テーブルタップ１の内部空間には、コンセント８が配置されており、ここに充電器のプラグＰ（本例ではＡＣアダプターを兼ねている）が接続されており、その結果プラグＰは内部空間に隠れることとなっている。またコードＣも余剰長さ部分は全て内部空間に存在し、見た目では本発明テーブルタップ１には充電器本体Ｂのみが乗っていることになる。このコードＣは、スリット４を通過している。
【図面の簡単な説明】
【００１５】
【図１】本発明に係るテーブルタップの一例を示す概略斜視図である。
【図２】本発明に係るテーブルタップの使用状態の一例を示す概略断面図である。
【符号の説明】
【００１６】
１    本発明に係るテーブルタップ
２    天面
３    載置面
４    スリット
５    スイッチ
６    ランプ
７    側面板
８    コンセント
Ｂ    充電器本体
Ｈ    携帯電話機
Ｐ    プラグ
Ｃ    コード
【図１】
2005183052.tif 000003
【図２】
2005183052.tif 000004